(57)【要約】【課題】  表示とコントロールインタフェースの整合システムを具えた電動ウォーキングマシンの提供。【解決手段】  イメージ化表示装置、上コントロールユニット及びコントロール装置を包含し、上コントロールユニットはコントロール情報と生理情報を受け取り、並びに表示配置設定によりコントロール情報と生理情報をイメージ化表示装置上に表示する。コントロール装置はコントロール情報を調整するコントロール命令を生成して電動ウォーキングマシンをコントロールし、並びにイメージ化表示装置の表示の内容に影響を与える。これにより、使用者はイメージ化表示装置に表示されたコントロール情報により、コントロール装置にコントロール情報調整のコントロール命令を生成させて、パーソナライズされたインタラクティブメカニズムを達成できる。【選択図】        図３
0003114941.tif 000002
【実用新案登録請求の範囲】
【請求項１】
表示とコントロールインタフェースの整合システムを具えた電動ウォーキングマシンにおいて、該ウォーキングマシンは、
イメージ化表示装置と、
上コントロールユニットであって、該上コントロールユニットはコントロール情報と生理情報を受け取り、並びに表示配置設定により該コントロール情報と該生理情報を該イメージ化表示装置上に表示し、該コントロール情報は少なくともウォーキング速度を包含し、並びに該コントロール情報を調整するコントロール命令を受信、処理後に、該電動ウォーキングマシンをコントロールし、及びイメージ化表示装置の表示する内容に影響を与える、上記上コントロールユニットと、
を包含し、そのうち、使用者が該イメージ化表示装置に表示されたコントロール情報により、該コントロール情報を調整し、パーソナライズされたインタラクティブメカニズムを達成することを特徴とする、表示とコントロールインタフェースの整合システムを具えた電動ウォーキングマシン。
【請求項２】
請求項１記載の表示とコントロールインタフェースの整合システムを具えた電動ウォーキングマシンにおいて、使用者がリモートコントローラー或いはイメージ化表示装置に取り付けられたタッチパネルによりコントロール情報を調整できることを特徴とする、表示とコントロールインタフェースの整合システムを具えた電動ウォーキングマシン。
【請求項３】
請求項１記載の表示とコントロールインタフェースの整合システムを具えた電動ウォーキングマシンにおいて、コントロール情報の調整がコントロール装置によりなされ、該電動ウォーキングマシンは更に、
ビデオ変換ボックスであって、該ビデオ変換ボックスは複数のオーディオビデオインタフェースを具え、並びにこれらオーディオビデオインタフェースに対応するオーディオビデオ情報を受け取り、並びに処理後に該オーディオビデオ情報を上コントロールユニットに提供し、各オーディオビデオインタフェースが一つのオーディオビデオ類別に属する、上記ビデオ変換ボックスと、
を包含し、そのうち、該コントロール装置が各オーディオビデオ類別の間、及びコントロール情報と生理情報を表示するフレームの間で切り換えを行う切り換えボタンを提供し、ナビに特定オーディオビデオ類別に切り換える時、上コントロールユニットが該オーディオビデオ類別に対応するオーディオビデオ情報をイメージ化表示装置及び又はスピーカ装置で放送することを特徴とする、表示とコントロールインタフェースの整合システムを具えた電動ウォーキングマシン。
【請求項４】
請求項３記載の表示とコントロールインタフェースの整合システムを具えた電動ウォーキングマシンにおいて、オーディオビデオ類別がＤＶＤ、ＶＣＤ、ＣＤ、ＭＰ３、テレビ信号或いはその他のオーディオビデオ番組とされることを特徴とする、表示とコントロールインタフェースの整合システムを具えた電動ウォーキングマシン。
【請求項５】
請求項１記載の表示とコントロールインタフェースの整合システムを具えた電動ウォーキングマシンにおいて、電動ウォーキングマシンが更に、電動ウォーキングマシンのアームレスト上に設置されてコントロール情報を生成できる調整装置を包含したことを特徴とする、表示とコントロールインタフェースの整合システムを具えた電動ウォーキングマシン。
【請求項６】
請求項１記載の表示とコントロールインタフェースの整合システムを具えた電動ウォーキングマシンにおいて、イメージ化表示装置が液晶ディスプレイ、プラズマディスプレイ、ＣＲＴディスプレイ或いはプロジェクターとされたことを特徴とする、表示とコントロールインタフェースの整合システムを具えた電動ウォーキングマシン。
【請求項７】
請求項１記載の表示とコントロールインタフェースの整合システムを具えた電動ウォーキングマシンにおいて、表示配置設定は上コントロールユニットがカードリーダーによりメモリカード中より読み取り、且つ表示配置設定が異なる要求により異なる表示配置モードを有することを特徴とする、表示とコントロールインタフェースの整合システムを具えた電動ウォーキングマシン。
【請求項８】
請求項１記載の表示とコントロールインタフェースの整合システムを具えた電動ウォーキングマシンにおいて、表示配置設定は上コントロールユニットがメモリユニット中より読み取り、且つ表示配置設定が異なる要求により異なる表示モードを有することを特徴とする、表示とコントロールインタフェースの整合システムを具えた電動ウォーキングマシン。
【請求項９】
請求項１記載の表示とコントロールインタフェースの整合システムを具えた電動ウォーキングマシンにおいて、電動ウォーキングマシンが更に、上コントロールユニットにより変換されたコントロール情報に基づき伝動子システムをコントロールする下コントロールユニットを包含したことを特徴とする、表示とコントロールインタフェースの整合システムを具えた電動ウォーキングマシン。
【請求項１０】
請求項９記載の表示とコントロールインタフェースの整合システムを具えた電動ウォーキングマシンにおいて、伝動子システムがウォークウエーベルトを回動させるウォークウエーモータを包含する時、下コントロールユニットがコントロール情報中のウォーキング速度により該ウォークウエーモータの回転速度を調整することを特徴とする、表示とコントロールインタフェースの整合システムを具えた電動ウォーキングマシン。
【請求項１１】
請求項９記載の表示とコントロールインタフェースの整合システムを具えた電動ウォーキングマシンにおいて、伝動子システムがウォークウエーボードを傾斜させる上昇モータを包含する時、下コントロールユニットはコントロール情報中のウォーキング傾斜度により該上昇モータによりウォークウエーボードの傾斜度を調整することを特徴とする、表示とコントロールインタフェースの整合システムを具えた電動ウォーキングマシン。
【請求項１２】
請求項９記載の表示とコントロールインタフェースの整合システムを具えた電動ウォーキングマシンにおいて、電動ウォーキングマシンが更に緊急停止メカニズムを包含し、該緊急停止メカニズムは、
両端がそれぞれ下コントロールユニットに接続された電気端子セットと、
該電気端子セットの付近に設置された磁気シートと、
該電気端子セットに対応し磁気シートに吸着される導通片を具えた導通盤と、
一端が該導通盤に接続され、別端がクランプに接続されたロープと、
を包含し、導通片が磁気シートに吸着される時、該導通片が電気端子セットを導通させ、並びに下コントロールユニットに続けて伝動子システムをコントロールさせ、該クランプが電動ウォーキングマシン上の使用者に挟設され、使用者が正常なウォーキング姿勢にない時、該導通盤が引き離され、並びに下コントロールユニットが伝動子システムの運転を中断することを特徴とする、表示とコントロールインタフェースの整合システムを具えた電動ウォーキングマシン。
【請求項１３】
請求項１記載の表示とコントロールインタフェースの整合システムを具えた電動ウォーキングマシンにおいて、生理情報は、血圧、脈拍、皮膚電気信号或いはその他の測定可能な情報とされることを特徴とする、表示とコントロールインタフェースの整合システムを具えた電動ウォーキングマシン。
【考案の詳細な説明】
【技術分野】
【０００１】
本考案は一種の電動ウォーキングマシンに係り、特に、表示とコントロールインタフェースの整合システムを具えた電動ウォーキングマシンに関する。
【背景技術】
【０００２】
図１は周知の電動ウォーキングマシンの表示図である。図１に示されるように、周知の電動ウォーキングマシンは、コントロールパネル１２、上コントロールユニット１０、下コントロールユニット１４、ウォークウエーボード２０、ウォークウエーベルト２２、伝動子システムで構成されている。伝動子システムは上昇モータ１８とウォークウエーモータ１６で構成されている。
【０００３】
伝動子システム中、上昇モータ１８が駆動する上昇柱（図示せず）はウォークウエーボード２０の傾斜を調整し、ウォークウエーモータ１６の回転速度によりウォークウエーベルト２２の回動する速度（即ちウォーキング速度）が調整される。ゆえに、使用者がコントロールパネル１２に位置してウォーキング速度調整に用いられるボタンを押す時、上コントロールユニット１０を通して伝動子システムの下コントロールユニット１４が制御されてコントロール命令を発生し、これにより下コントロールユニット１４がこのコントロール命令によりウォークウエーボード２０の傾斜度とウォークウエーベルト２２の回動速度を改変する。
【０００４】
消費者の好みが多様化するにつれ、メーカーも多様なウォーキング形態の提供を開始するようになった。例えば、使用者が１ｋｍウォーキングした後に、上り坂をシミュレートしたい時は、電動ウォーキングマシンは自動的にウォークウエーボード２０の傾斜度を高く調整し、並びに一定の路程の後、急速のためウォークウエーベルト２２の回動される速度を遅くする、等の設定が行える。しかし、上述の複雑な設定を提供するため、多くのボタン或いはボタンの組合せが必要となる。ただし、このために使用者にとっては設定上の困難度が高くなり、使用者がこのような使用しにくい電動ウォーキングマシンを敬遠しがちとなる。また、アームレスト２４の心拍測定器２４ａで測定した心拍数等の情報を表示する時、コントロールパネル１２の表示は更に複雑となる。ゆえに、使用しやすい操作インタフェースであって、更には使用者が表示を選択できる操作インタフェースが必要とされ、例えば心拍数等のデータを観る必要のない消費者であれば、その情報表示を削除できる操作インタフェースが必要である。
【０００５】
このほか、事故の発生を防止するため、周知の電動ウォーキングマシンにはいずれも緊急停止メカニズムが設計されている。この緊急停止メカニズム中の電気端子セット（図示せず）の両端はそれぞれ上コントロールユニット１０に接続され、磁気シート２６ａが電気端子セット付近に設置されている。正常運転下では、電気端子セットに対応する導通片（図示せず）を具えた導通盤２６ｂが、磁気シート２６ａに吸着される。使用者がウォーキングする時、ロープ２６ｃが導通盤２６ｂのクランプ２６ｄに接続され、クランプ２６ｂが身につけられる時、使用者が正常なウォーキング姿勢でない時（例えば転ぶ時）、導通盤２６ｂが引き離される。このとき、導通盤２６ｂの導通片が電気端子セットに非接続となり、これにより上コントロールユニット１０が続けて伝動子システムを運転させられなくなり、使用者が電動ウォーキングマシンにより傷害を受けるのが防止される。しかし、上コントロールユニット１０は更に下コントロールユニット１４を通さなければ実際に伝動子システムの運転を中断させられず、このため周知の電動ウォーキングマシンは事故処理上、反応が十分に速くないという欠点を有している。
【考案の開示】
【考案が解決しようとする課題】
【０００６】
本考案の主要な目的は、一種の、表示とコントロールインタフェースの整合システムを具えた電動ウォーキングマシンを提供することにあり、それは、その所有する整合システムがシステムコントロールに伴いイメージ化表示装置に対応イメージ化インタフェースを表示し、並びに使用者の操作とインタラクティブであり、これにより使用者はイメージ化表示装置に表示されたコントロール情報により、コントロール装置にコントロール情報を調整するコントロール命令を生成させ、パーソナライズされたインタラクティブメカニズムを達成するものとする。
【０００７】
本考案の次の目的は、一種の、表示とコントロールインタフェースの整合システムを具えた電動ウォーキングマシンを提供することにあり、それは、上コントロールユニットと電気的接続関係を有するビデオ変換ボックスが提供するオーディオビデオ情報により、使用者がウォーキングすると同時に、イメージ化表示装置が使用者が自分で選定したオーディオビデオ番組を放送するものとする。
【０００８】
本考案の別の目的は、一種の、表示とコントロールインタフェースの整合システムを具えた電動ウォーキングマシンを提供することにあり、それは、緊急停止メカニズムが下コントロールユニットに接続され、これにより速やかに事故状況を処理できるものとする。
【０００９】
上述の目的を達成するため、本考案が提供する表示とコントロールインタフェースの整合システムを具えた電動ウォーキングマシンは、イメージ化表示装置、上コントロールユニット、及びコントロール装置を包含する。上コントロールユニットはコントロール情報と生理情報を受け取り、並びに表示配置設定により、コントロール情報と生理情報をイメージ化表示装置上に表示する。コントロール装置はコントロール情報を調整するコントロール命令を生成して電動ウォーキングマシンをコントロールし、並びにイメージ化表示装置の表示の内容に影響を与える。
【課題を解決するための手段】
【００１０】
請求項１の考案は、表示とコントロールインタフェースの整合システムを具えた電動ウォーキングマシンにおいて、該ウォーキングマシンは、
イメージ化表示装置と、
上コントロールユニットであって、該上コントロールユニットはコントロール情報と生理情報を受け取り、並びに表示配置設定により該コントロール情報と該生理情報を該イメージ化表示装置上に表示し、該コントロール情報は少なくともウォーキング速度を包含し、並びに該コントロール情報を調整するコントロール命令を受信、処理後に、該電動ウォーキングマシンをコントロールし、及びイメージ化表示装置の表示する内容に影響を与える、上記上コントロールユニットと、
を包含し、そのうち、使用者が該イメージ化表示装置に表示されたコントロール情報により、該コントロール情報を調整し、パーソナライズされたインタラクティブメカニズムを達成することを特徴とする、表示とコントロールインタフェースの整合システムを具えた電動ウォーキングマシンとしている。
請求項２の考案は、請求項１記載の表示とコントロールインタフェースの整合システムを具えた電動ウォーキングマシンにおいて、使用者がリモートコントローラー或いはイメージ化表示装置に取り付けられたタッチパネルによりコントロール情報を調整できることを特徴とする、表示とコントロールインタフェースの整合システムを具えた電動ウォーキングマシンとしている。
請求項３の考案は、請求項１記載の表示とコントロールインタフェースの整合システムを具えた電動ウォーキングマシンにおいて、コントロール情報の調整がコントロール装置によりなされ、該電動ウォーキングマシンは更に、
ビデオ変換ボックスであって、該ビデオ変換ボックスは複数のオーディオビデオインタフェースを具え、並びにこれらオーディオビデオインタフェースに対応するオーディオビデオ情報を受け取り、並びに処理後に該オーディオビデオ情報を上コントロールユニットに提供し、各オーディオビデオインタフェースが一つのオーディオビデオ類別に属する、上記ビデオ変換ボックスと、
を包含し、そのうち、該コントロール装置が各オーディオビデオ類別の間、及びコントロール情報と生理情報を表示するフレームの間で切り換えを行う切り換えボタンを提供し、ナビに特定オーディオビデオ類別に切り換える時、上コントロールユニットが該オーディオビデオ類別に対応するオーディオビデオ情報をイメージ化表示装置及び又はスピーカ装置で放送することを特徴とする、表示とコントロールインタフェースの整合システムを具えた電動ウォーキングマシンとしている。
請求項４の考案は、請求項３記載の表示とコントロールインタフェースの整合システムを具えた電動ウォーキングマシンにおいて、オーディオビデオ類別がＤＶＤ、ＶＣＤ、ＣＤ、ＭＰ３、テレビ信号或いはその他のオーディオビデオ番組とされることを特徴とする、表示とコントロールインタフェースの整合システムを具えた電動ウォーキングマシンとしている。
請求項５の考案は、請求項１記載の表示とコントロールインタフェースの整合システムを具えた電動ウォーキングマシンにおいて、電動ウォーキングマシンが更に、電動ウォーキングマシンのアームレスト上に設置されてコントロール情報を生成できる調整装置を包含したことを特徴とする、表示とコントロールインタフェースの整合システムを具えた電動ウォーキングマシンとしている。
請求項６の考案は、請求項１記載の表示とコントロールインタフェースの整合システムを具えた電動ウォーキングマシンにおいて、イメージ化表示装置が液晶ディスプレイ、プラズマディスプレイ、ＣＲＴディスプレイ或いはプロジェクターとされたことを特徴とする、表示とコントロールインタフェースの整合システムを具えた電動ウォーキングマシンとしている。
請求項７の考案は、請求項１記載の表示とコントロールインタフェースの整合システムを具えた電動ウォーキングマシンにおいて、表示配置設定は上コントロールユニットがカードリーダーによりメモリカード中より読み取り、且つ表示配置設定が異なる要求により異なる表示配置モードを有することを特徴とする、表示とコントロールインタフェースの整合システムを具えた電動ウォーキングマシンとしている。
請求項８の考案は、請求項１記載の表示とコントロールインタフェースの整合システムを具えた電動ウォーキングマシンにおいて、表示配置設定は上コントロールユニットがメモリユニット中より読み取り、且つ表示配置設定が異なる要求により異なる表示モードを有することを特徴とする、表示とコントロールインタフェースの整合システムを具えた電動ウォーキングマシンとしている。
請求項９の考案は、請求項１記載の表示とコントロールインタフェースの整合システムを具えた電動ウォーキングマシンにおいて、電動ウォーキングマシンが更に、上コントロールユニットにより変換されたコントロール情報に基づき伝動子システムをコントロールする下コントロールユニットを包含したことを特徴とする、表示とコントロールインタフェースの整合システムを具えた電動ウォーキングマシンとしている。
請求項１０の考案は、請求項９記載の表示とコントロールインタフェースの整合システムを具えた電動ウォーキングマシンにおいて、伝動子システムがウォークウエーベルトを回動させるウォークウエーモータを包含する時、下コントロールユニットがコントロール情報中のウォーキング速度により該ウォークウエーモータの回転速度を調整することを特徴とする、表示とコントロールインタフェースの整合システムを具えた電動ウォーキングマシンとしている。
請求項１１の考案は、請求項９記載の表示とコントロールインタフェースの整合システムを具えた電動ウォーキングマシンにおいて、伝動子システムがウォークウエーボードを傾斜させる上昇モータを包含する時、下コントロールユニットはコントロール情報中のウォーキング傾斜度により該上昇モータによりウォークウエーボードの傾斜度を調整することを特徴とする、表示とコントロールインタフェースの整合システムを具えた電動ウォーキングマシンとしている。
請求項１２の考案は、請求項９記載の表示とコントロールインタフェースの整合システムを具えた電動ウォーキングマシンにおいて、電動ウォーキングマシンが更に緊急停止メカニズムを包含し、該緊急停止メカニズムは、
両端がそれぞれ下コントロールユニットに接続された電気端子セットと、
該電気端子セットの付近に設置された磁気シートと、
該電気端子セットに対応し磁気シートに吸着される導通片を具えた導通盤と、
一端が該導通盤に接続され、別端がクランプに接続されたロープと、
を包含し、導通片が磁気シートに吸着される時、該導通片が電気端子セットを導通させ、並びに下コントロールユニットに続けて伝動子システムをコントロールさせ、該クランプが電動ウォーキングマシン上の使用者に挟設され、使用者が正常なウォーキング姿勢にない時、該導通盤が引き離され、並びに下コントロールユニットが伝動子システムの運転を中断することを特徴とする、表示とコントロールインタフェースの整合システムを具えた電動ウォーキングマシンとしている。
請求項１３の考案は、請求項１記載の表示とコントロールインタフェースの整合システムを具えた電動ウォーキングマシンにおいて、生理情報は、血圧、脈拍、皮膚電気信号或いはその他の測定可能な情報とされることを特徴とする、表示とコントロールインタフェースの整合システムを具えた電動ウォーキングマシンとしている。
【考案の効果】
【００１１】
本考案の提供する表示とコントロールインタフェースの整合システムを具えた電動ウォーキングマシンは、イメージ化表示装置、上コントロールユニット及びコントロール装置を包含し、上コントロールユニットはコントロール情報と生理情報を受け取り、並びに表示配置設定によりコントロール情報と生理情報をイメージ化表示装置上に表示する。コントロール装置はコントロール情報を調整するコントロール命令を生成して電動ウォーキングマシンをコントロールし、並びにイメージ化表示装置の表示の内容に影響を与える。これにより、使用者はイメージ化表示装置に表示されたコントロール情報により、コントロール装置にコントロール情報調整のコントロール命令を生成させて、パーソナライズされたインタラクティブメカニズムを達成できる。
【考案を実施するための最良の形態】
【００１２】
図２は本考案の電動ウォーキングマシンの表示図である。本考案の電動ウォーキングマシン中の表示とコントロールインタフェースの整合システムは、イメージ化表示装置２８、上コントロールユニット３０、及びリモートコントローラー３２とされる制御装置で構成される。その他の下コントロールユニット１４、伝動子システム３４（符号１６、１８の装置等）、ウォークウエー板２０、ウォークウエーベルト２２、心拍測定器２４ａはほぼ周知の電動ウォーキングマシンと類似する。ただし、そのうち、緊急停止メカニズム（装置２６ａ〜２６ｄ）は電気的接続対象中に僅かな違いがある。特に注意すべきは、制御装置はイメージ化表示装置２８のタッチパネル（図示せず）に取り付け可能であり、且ついずれもリモートコントローラー３２に対応する操作モードを有する。イメージ化表示装置２８は液晶ディスプレイ、プラズマディスプレイ、ＣＲＴディスプレイ或いはプロジェクターとされうる。また、心拍測定器２４ａの代わりに、血圧、脈拍、皮膚電気信号或いはその他の測定可能な情報を測定する装置を採用可能である。
【００１３】
図３〜４を参照されたい。図３〜４は本考案の表示とコントロールインタフェースの整合システムの表示図である。図３に示されるように、本考案の表示とコントロールインタフェースの整合システム中、上コントロールユニット３０はコントロール情報（リモートコントローラー３２より発射されたものとされうる）と生理情報（心拍測定器２４ａが提供するものとされうる）を受け取った後、イメージ化表示装置２８に表示することができる。ゆえに、使用者はリモートコントローラー３２上の特定機能のボタンにより、本考案の電動ウォーキングマシンとインタラクティブな操作を形成でき、且つ即刻イメージ化表示装置２８に表示できる。これにより、周知の電動ウォーキングマシンと比較すると、本考案の表示とコントロールインタフェースの整合システムを取り付けた電動ウォーキングマシンは、使用者が煩雑な操作、コントロール方式を学習する必要がなく、テレビと同様にリモートコントローラー３２により上下左右の選択を行うことで、実行したい選択、設定を完成できる。ゆえに、本考案の表示とコントロールインタフェースの整合システムを具えた電動ウォーキングマシンは確実にパーソナライズされたインタラクティブメカニズムを達成する。
【００１４】
図４に示されるように、多様化された操作インタフェースを提供するために、或いはメーカーが市場の要求に応じてイメージ化表示装置２８の表示モードを改変する時、上コントロールユニット３０は表示配置設定に基づき、上述のコントロール情報、生理情報、或いはその他の演算により生成した情報を、この設定内容により各情報をイメージ化表示装置２８に配置、表示する。ゆえに表示配置設定は異なる要求により異なる表示配置モードとされる。
【００１５】
一般に、この表示配置設定は、カードリーダー３６がメモリカード３８中より読み取るか、或いは直接メモリユニット（図示せず）中より読み取られる。ゆえに二種類の異なるソースを有し得るが、主にはコスト上の考慮に基づく。表示配置設定を保存するメモリユニットはその内容の行進に不便であり、委託製造時には一定数量のオーダーを行わねばならないため、随意にその内容を改変できるメモリカード３８が、好ましい選択とされる。
【００１６】
図５〜図６を参照されたい。図５〜図６は本考案のイメージ化インタフェースの表示図である。図５に示されるように、イメージ化表示装置２８に表示される表示配置設定は全部で２８ａ〜２８ｂの三種類の配置設定から選択される。且つ現在は配置設定２８ｂが選択されている。これにより、上コントロールユニット３０は配置設定２８ｂの設定データにより、イメージ化表示装置２８にウォーキング速度、ウォーキング傾斜度、心拍数等を表示し、並びに配置設定２８ｂは更にウォーキング速度の横に、過去ウォーキング速度変化曲線を表示する。使用者がウォーキング速度を調整したい時は、現在表示されている操作フレームにより先にウォーキング速度を選択し、並びにリモートコントローラー３２のウォーキング速度アップのボタンを押すと、ウォーキング速度のコントロール情報を調整するコントロール命令が発射される。これにより上コントロールユニット３０により実際に電動ウォーキングマシンを制御するのみならず、イメージ化表示装置２８の表示内容に影響を与え、例えば、図６に示されるように、ウォーキング速度が「１５」と表示される。図６に示されるように、使用者がリモートコントローラー３２で配置設定２８ｃを選択する時、配置設定２８ｃには過去ウォーキング速度変化曲線、心拍数等の配置がないため、イメージ化表示装置２８はこれらの情報を表示せず、且つウォーキング傾斜度とウォーキング速度の配置は図５に示されるものとは異なっている。
【００１７】
電動ウォーキングマシンが更にビデオ変換ボックス（図示せず）を包含する時、上コントロールユニット３０はビデオ変換ボックスが具備する複数のオーディオビデオインタフェースにより、このオーディオビデオインタフェースに対応するオーディオビデオ情報を受け取ることができ、並びに処理後にオーディオビデオ情報を上コントロールユニット３０に提供し、その後、オーディオビデオ情報をイメージ化表示装置２８に表示する。こうして、使用者はビデオ変換ボックスにより、ウォーキングと同時に、イメージ化表示装置２８及び又はスピーカ装置（図示せず）の放送するＤＶＤ、ＶＣＤ、ＣＤ、ＭＰ３、テレビ信号或いはその他のオーディオビデオ番組を視聴できる。
【００１８】
使用者の操作に便利であるように、リモートコントローラー３２のようなコントロール装置に、各オーディオビデオ類別の間及び図５或いは図６に示されるフレーム（即ち表示コントロール情報と生理情報）の間で切り換えを行う切り換えボタン（図示せず）が提供される。これにより、使用者が特定のオーディオビデオ類別に切り換える時、上コントロールユニット３０がオーディオビデオ類別に対応するオーディオビデオ情報をイメージ化表示装置２８及び又はスピーカー装置により放送する。
【００１９】
このほか、使用者がオーディオビデオ情報を視聴する時、速やかにコントロール情報（例えばウォーキング速度）を調整できるようにするため、電動ウォーキングマシンのアームレスト２４上にこのほかに調整装置を設けて、直接コントロール情報を発射することができる。
【００２０】
本考案の表示とコントロールインタフェースの整合システムを具えた電動ウォーキングマシン中、緊急停止メカニズムの電気端子セットの両端はそれぞれ下コントロールユニット１４に接続され、周知の技術とは異なり上コントロールユニットには接続されず、ゆえに使用者が正常なウォーキング姿勢にない時、導通盤が引き離され、並びに下コントロールユニットが直接伝動子システム３４の運転を中断し、上コントロールユニットの伝送と変換を経由する必要がなく、快速に事故状況を処理できる。
【００２１】
以上の具体的実施例の記載は本考案の特徴と精神を明らかに記述するためのもので、本考案の範囲を制限するためのものではなく、上述の実施例に基づく各種の異なる改変及び修飾は、いずれも本考案の請求範囲に属するものとする。
【図面の簡単な説明】
【００２２】
【図１】周知の電動ウォーキングマシンの表示図である。
【図２】本考案の電動ウォーキングマシンの表示図である。
【図３】本考案の表示とコントロールインタフェースの整合システムの表示図である。
【図４】本考案の表示とコントロールインタフェースの整合システムの表示図である。
【図５】本考案のイメージ化インタフェースの表示図である。
【図６】本考案のイメージ化インタフェースの表示図である。
【符号の説明】
【００２３】
１０、３０  上コントロールユニット
１２  コントロールパネル
１４  下コントロールユニット
１６  ウォークウエーモータ
１８  上昇モータ
２０  ウォークウエーボード
２２  ウォークウエーベルト
２４  アームレスト
２６ａ  心拍測定器
２６ｂ  磁気シート
２６ｃ  ロープ
２６ｄ  クランプ
２８  イメージ化表示装置
２８ａ〜２８ｃ  配置設定
３２  リモートコントローラー
３４  伝動子システム
３６  カードリーダー
３８  メモリカード
【図１】
0003114941.tif 000003
【図２】
0003114941.tif 000004
【図３】
0003114941.tif 000005
【図４】
0003114941.tif 000006
【図５】
0003114941.tif 000007
【図６】
0003114941.tif 000008